【手続補正書】
【提出日】平成16年11月25日(2004.11.25)
【手続補正１】
【補正対象書類名】明細書
【補正対象項目名】特許請求の範囲
【補正方法】変更
【補正の内容】
【特許請求の範囲】
【請求項１】
記録面を径方向の複数のボリュームに分割し、各ボリュームをリードイン領域、プログラム領域、リードアウト領域で構成して情報を記録し、次ボリュームの存在するボリュームのプログラム領域、リードアウト領域のいずれか一方または両方の領域のメインチャンネルに次ボリュームの存在を示す情報を記録してなる光ディスク。
【請求項２】
前記次ボリュームの存在を示す情報がファイルシステムの管理範囲内のファイルに記録されている請求項１記載の光ディスク。
【請求項３】
前記次ボリュームの存在を示す情報がファイルシステムの管理範囲外のデータであってメインチャンネルのフォーマット上の予め定められた位置に記録されている請求項１記載の光ディスク。
【請求項４】
請求項１から３のいずれかの光ディスクを再生する光ディスク再生装置であって、各ボリュームの再生時に次ボリュームの存否を示す情報を読み取り、次ボリューム有りの情報が得られたときは、該次ボリュームへのアクセスを許容し、次ボリューム有りの情報が得られないときは、現ボリュームより先へのアクセスを禁止するように制御内容が設定されている光ディスク再生装置。
【請求項５】
第何ボリュームまで再生可能とするかに関する装置固有の再生水準が設定され、前記次ボリュームの存否を示す情報により与えられる最終ボリュームまたは前記設定された再生水準により定められた最終ボリュームのうちいずれか小さい値のボリュームまでアクセスを許容し、それより先へのアクセスを禁止するように制御内容が設定されている請求項４記載の光ディスク再生装置。
【請求項６】
請求項１から３のいずれかの光ディスクを再生する光ディスク再生装置と、該光ディスク再生装置に接続されたホストコンピュータとからなり、前記光ディスク再生装置は前記光ディスクの各ボリュームの再生時に次ボリュームの存否を示す情報を読み取って前記ホストコンピュータに転送し、該ホストコンピュータは次ボリューム有りの情報を受け取ったときは、前記光ディスク再生装置に対し該次ボリュームへのアクセスを許容し、次ボリューム有りの情報を受け取らなかったときは、前記光ディスク再生装置に対し現ボリュームより先へのアクセスを禁止するように制御内容が設定されている光ディスク再生組織。
【請求項７】
請求項１から３のいずれかの光ディスクを再生する光ディスク再生装置と、該光ディスク再生装置に接続されたホストコンピュータとからなり、該ホストコンピュータは、前記光ディスク再生装置から転送される情報の中から次ボリュームの存否を示す情報を抽出し、次ボリューム有りの情報が得られたときは、前記光ディスク再生装置に対し該次ボリュームへのアクセスを許容し、次ボリューム有りの情報が得られないときは、前記光ディスク再生装置に対し現ボリュームより先へのアクセスを禁止するように制御内容が設定されている光ディスク再生組織。
【請求項８】
請求項１から３のいずれかの光ディスクを再生する光ディスク再生装置と、該光ディスク再生装置に接続されたホストコンピュータとからなり、該ホストコンピュータは、前記光ディスク再生装置から転送される情報の中から次ボリュームの存否を示す情報を抽出して該光ディスク再生装置に再転送し、該光ディスク再生装置は該再転送された情報に基づき、次ボリューム有りの情報が得られたときは次ボリュームへのアクセスを許容し、次ボリューム有りの情報が得られないときは現ボリュームより先へのアクセスを禁止するように制御内容が設定されている光ディスク再生組織。
【請求項９】
記録面を径方向の複数のボリュームに分割し、各ボリュームをリードイン領域、プログラム領域、リードアウト領域で構成して情報を記録し、第１ボリュームまたは全ボリュームのプログラム領域、リードアウト領域のいずれか一方または両方の領域のメインチャンネルに、全てのボリュームの存在を示す情報をボリューム番号順に所定区間ずつ記録してなる光ディスク。
【請求項１０】
前記全てのボリュームの存在を示す情報がファイルシステムの管理範囲内のファイルに記録されている請求項９記載の光ディスク。
【請求項１１】
前記全てのボリュームの存在を示す情報がファイルシステムの管理範囲外のデータであってメインチャンネルのフォーマット上の予め定められた位置に記録されている請求項９記載の光ディスク。
【請求項１２】
請求項９から１１のいずれかの光ディスクを再生する光ディスク再生装置であって、第１ボリュームまたは各ボリュームの再生時に前記全てのボリュームの存在を示す情報を読み取り、該読み取られた情報により確認されたボリュームまでアクセスを許容し、それより先へのアクセスを禁止するように制御内容が設定されている光ディスク再生装置。
【請求項１３】
第何ボリュームまで再生可能とするかに関する装置固有の再生水準が設定され、前記読み取られた全てのボリュームの存在を示す情報により存在が確認された最終ボリュームまたは前記設定された再生水準で定められた最終ボリュームのうちいずれか小さい値のボリュームまでアクセスを許容し、それより先へのアクセスを禁止するように制御内容が設定されている請求項１２記載の光ディスク再生装置。
【請求項１４】
請求項９から１１のいずれかの光ディスクを再生する光ディスク再生装置であって、第何ボリュームまで再生可能とするかに関する装置固有の再生水準が設定され、前記第１ボリュームまたは各ボリュームの再生時に前記全てのボリュームの存在を示す情報を該再生水準で定められたボリュームが属する区間まで読み取り、該読み取られた情報により存在が確認されたボリュームまでアクセスを許容し、それより先へのアクセスを禁止するように制御内容が設定されている光ディスク再生装置。
【請求項１５】
請求項９から１１のいずれかの光ディスクを再生する光ディスク再生装置と、該光ディスク再生装置に接続されたホストコンピュータとからなり、前記光ディスク再生装置は前記光ディスクの第１ボリュームまたは各ボリュームの再生時に前記全てのボリュームの存在を示す情報を読み取って前記ホストコンピュータに転送し、該ホストコンピュータは前記光ディスク再生装置に対し、該転送された情報により存在が確認されたボリュームまでアクセスを許容し、それより先へのアクセスを禁止するように制御内容が設定されている光ディスク再生組織。
【請求項１６】
請求項９から１１のいずれかの光ディスクを再生する光ディスク再生装置と、該光ディスク再生装置に接続されたホストコンピュータとからなり、該ホストコンピュータは、前記光ディスク再生装置から転送される情報の中から前記ボリュームの存在を示す情報を抽出し、前記光ディスク再生装置に対し、該読み取られた情報により存在が確認されたボリュームまでアクセスを許容し、それより先へのアクセスを禁止するように制御内容が設定されている光ディスク再生組織。
【請求項１７】
請求項９から１１のいずれかの光ディスクを再生する光ディスク再生装置と、該光ディスク再生装置に接続されたホストコンピュータとからなり、該ホストコンピュータは、前記光ディスク再生装置から転送される情報の中から前記ボリュームの存在を示す情報を抽出して該光ディスク再生装置に再転送し、該光ディスク再生装置は該再転送された情報に基づき、存在が確認されたボリュームまでアクセスを許容し、それより先へのアクセスを禁止するように制御内容が設定されている光ディスク再生組織。
【請求項１８】
請求項９から１１のいずれかに記載の光ディスクのうち全ボリュームに全てのボリュームの存在を示す情報が記録されている光ディスクを再生する光ディスク再生装置であって、各ボリュームの再生時に、前記全てのボリュームの存在を示す情報のうちボリュームの存在を示す情報を選択的に読み取る制御内容が設定されている光ディスク再生装置。